(57)【要約】      （修正有）【課題】高電圧または高電力の電子装置システムにおいて、主電源スイッチがＯＦＦ時のみ扉を開けられ、かつ複数の扉を同時に開けられるシステムの提供。【解決手段】電子装置と鍵管理用収納器３を備え、電子装置は鍵付き主電源スイッチと扉用鍵１４１、１５１、１６１、１７１を有し、鍵管理用収納器３は鍵付き主電源スイッチのメインキー１３２と扉用鍵１４１、１５１、１６１、１７１の扉用キー１４２、１５２、１６２、１７２を挿入する鍵穴１３３、１４３、１５３、１６３、１７３を有し、メインキー用鍵穴１３３にメインキー１３２を挿入しなければ扉用キー１４２、１５２、１６２、１７２を抜くことができず、扉用キー１４２、１５２、１６２、１７２の全数を扉用鍵穴１４３、１５３、１６３、１７３に挿入しなければメインキー用鍵穴１３３からメインキー１３２を抜くことができない構造である。【選択図】図２
2013129993.tif 000002
【特許請求の範囲】
【請求項１】
電子装置と、鍵管理用収納器を備えた電子装置システムにおいて、
前記電子装置は、鍵付き主電源スイッチと、扉用鍵を有し、
前記鍵管理用収納器は、前記鍵付き主電源スイッチのメインキーと前記扉用鍵の扉用キーを挿入する鍵穴を有し、前記メインキー用鍵穴に前記メインキーを挿入しなければ前記扉用キーを抜くことができず、前記扉用キーの全数を前記扉用鍵穴に挿入しなければ前記メインキー用鍵穴から前記メインキーを抜くことができない構造であることを特徴とする電子装置システム。
【発明の詳細な説明】
【技術分野】
【０００１】
本発明は、高電圧または高電力の電子装置システムに関し、特に安全に保守点検等を実施するための電子装置システムに関するものである。
【背景技術】
【０００２】
従来、高電圧または高電力の電子装置は、保守点検等を安全に実施するため、鍵付き電源スイッチを設けていた。保守点検者は、保守点検を実施する場合、鍵付き電源スイッチをＯＦＦにして、鍵を抜き、電源スイッチがＯＮにならないようにしていた。
また、装置の各扉などにドアスイッチを設け、通電中に扉を開けた場合は、強制的に電源を断にする仕組みを設けていた。
さらに、装置の扉を鍵付きにし、主電源スイッチの鍵を利用して扉の鍵を開ける構造とすることで、主電源スイッチがＯＦＦ時のみ扉を開けられるようにしていた。
他には、電子機器のスイッチ構造において、スイッチ作動ピンが離脱した場合にＯＮ又はＯＦＦにすることが、例えば、特許文献１に記載されている。
【先行技術文献】
【特許文献】
【０００３】
【特許文献１】特開２００６−２３６９５２号公報
【発明の概要】
【発明が解決しようとする課題】
【０００４】
高電圧または高電力の電子装置システムにおいて、通電中に装置の扉を開けた場合は、強制的に電源を断にする仕組みを設けている。しかし、強制的に電源断は、スパーク等の発生により装置の損傷や、故障の原因となる可能性がある。このため、装置の扉を鍵付きにし、主電源スイッチの鍵を利用して扉の鍵を開ける構造とすることで、主電源スイッチがＯＦＦ時のみ扉を開けられるが、複数の扉を同時に開けられないと言う課題がある。
【課題を解決するための手段】
【０００５】
本発明の電子装置システムは、電子装置と鍵管理用収納器を備え、電子装置は鍵付き主電源スイッチと扉用鍵を有し、鍵管理用収納器は鍵付き主電源スイッチのメインキーと扉用鍵の扉用キーを挿入する鍵穴を有し、メインキー用鍵穴にメインキーを挿入しなければ扉用キーを抜くことができず、扉用キーの全数を扉用鍵穴に挿入しなければメインキー用鍵穴からメインキーを抜くことができない構造であることを特徴とする。
【発明の効果】
【０００６】
本発明によれば、電子装置と鍵管理用収納器を組み合わせ、鍵管理用収納器は、鍵付き主電源スイッチのメインキー用鍵穴にメインキーを挿入しなければ扉用キーを抜くことができず、扉用キーの全数を扉用鍵穴に挿入しなければメインキー用鍵穴からメインキーを抜くことができない構造にすることにより、安全に保守点検等を実施することができる。
【図面の簡単な説明】
【０００７】
【図１】本発明の一実施例である電子装置システムを説明するための全体構成図と一部の拡大図である。
【図２】本発明の一実施例である鍵管理用収容器を説明するための図である。
【発明を実施するための最良の形態】
【０００８】
以下、本発明の実施形態を説明する。
本発明の一実施例を図面を用いて説明する。
図１は本発明の一実施例である電子装置システムを説明するための全体構成図と一部の拡大図である。図１の（Ａ）は全体構成図であり、（Ｂ）は主電源スイッチ１３１の拡大図であり、（Ｃ）は扉用鍵１４１の拡大図である。扉用鍵１５１、扉用鍵１６１、扉用鍵１７１は扉用鍵１４１と同様の構成である。
【０００９】
図１（Ａ）において、電子装置１と電子装置２は無線通信機等のであり、鍵管理用収納器３は電子装置１と電子装置２の鍵を管理するためのものである。
【００１０】
電子装置１は、表示部１１と操作部１２と主電源スイッチ部１３で構成している。表示部１１は無線通信機の設定内容や状態を表示するものである。操作部１２は無線通信機の設定や制御を行うものである。主電源スイッチ部１３は主電源スイッチ１３１を有し、主電源スイッチ１３１が電子装置１および電子装置２の電源のＯＮ／ＯＦＦを行うものである。装置扉１４は開閉用に扉用鍵１４１を有し、装置扉１４の中には複数の電力増幅器等を格納している。
【００１１】
電子装置２は、複数の電力増幅器等を格納するものであり、保守点検用に装置扉１５、装置扉１６、装置扉１７を有している。装置扉１５は開閉用に扉用鍵１５１を有し、装置扉１６は開閉用に扉用鍵１６１を有し、装置扉１７は開閉用に扉用鍵１７１を有している。
【００１２】
図１（Ｂ）は主電源スイッチ１３１の拡大図である。メインキー１３２は「ＯＦＦ」側から「ＯＮ」側に回すと主電源がＯＮとなる。また、メインキー１３２は「ＯＮ」側から「ＯＦＦ」側に回すと主電源がＯＦＦとなる。メインキー１３２は「ＯＦＦ」側の位置にあるときに主電源スイッチ１３１から抜くことができる。
【００１３】
図１（Ｃ）は扉用鍵１４１の拡大図である。扉用キー１４２は「ＯＰＥＮ」側から「ＣＬＯＳＥ」側に回すと装置扉１４を施錠することができる。扉用キー１４２は「ＣＬＯＳＥ」側から「ＯＰＥＮ」側に回すと装置扉１４を開錠することができる。扉用キー１４２は「ＯＰＥＮ」側の位置にあるときに扉用鍵１４１から抜くことができる。
【００１４】
図２は本発明の一実施例である鍵管理用収容器３を説明するための図である。
鍵管理用収容器３は、メインキー１３２を挿入する鍵穴１３３を有し、扉用キー１４２を挿入する鍵穴１４３を有し、扉用キー１５２を挿入する鍵穴１５３を有し、扉用キー１６２を挿入する鍵穴１６３を有し、扉用キー１７２を挿入する鍵穴１７３を有している。
【００１５】
鍵管理用収容器３は、メインキー１３２を鍵穴１３３に挿入して、「ＬＯＣＫ」側から「ＲＥＭＯＶＥ」側に回すことにより、扉用キー１４２、扉用キー１５２、扉用キー１６２、扉用キー１７２のロックを解除することができる。
【００１６】
扉用キー１４２、扉用キー１５２、扉用キー１６２、扉用キー１７２は、ロックを解除した状態で、「ＬＯＣＫ」側から「ＲＥＭＯＶＥ」側に回すことにより、鍵管理用収容器３から抜くことができる。
【００１７】
メインキー１３２は、扉用キー１４２、扉用キー１５２、扉用キー１６２、扉用キー１７２を各鍵穴である鍵穴１４３、鍵穴１５３、鍵穴１６３、鍵穴１７３に挿入して、「ＲＥＭＯＶＥ」側から「ＬＯＣＫ」側に回さないと、「ＲＥＭＯＶＥ」側から「ＬＯＣＫ」側に回すことができない構造となっている。即ち、メインキー１３２を鍵穴１３３から抜くためには、全数の扉用キー（扉用キー１４２、扉用キー１５２、扉用キー１６２、扉用キー１７２）を鍵管理用収容器３に挿入して「ＲＥＭＯＶＥ」側から「ＬＯＣＫ」側に回してから、メインキー１３２を「ＲＥＭＯＶＥ」側から「ＬＯＣＫ」側に回すことにより、メインキー１３２が鍵穴１３３から抜ける構造である。
【００１８】
上述の構造とすることで、主電源スイッチ１３１をＯＮとするためには、全装置扉（装置扉１４、装置扉１５、装置扉１６、装置扉１７）が閉じていて、全扉用鍵（扉用鍵１４１、扉用鍵１５１、扉用鍵１６１、扉用鍵１７１）を施錠している必要がある。即ち、装置扉の一つでも施錠されていないと主電源スイッチ１３１がＯＮとならない構造である。
【００１９】
鍵管理用収容器３の設置場所は、特に限定しないものである。鍵管理用収容器３は電子装置１や電子装置２に取付けても良く、また、他の場所に設置しても良い。
【００２０】
本発明の一実施例である鍵管理用収容器は、機械式でも電気式でも良いことは言うまでもない。
【００２１】
本発明によれば、電子装置と鍵管理用収納器を組み合わせ、鍵管理用収納器は、鍵付き主電源スイッチのメインキー用鍵穴にメインキーを挿入しなければ扉用キーを抜くことができず、扉用キーの全数を扉用鍵穴に挿入しなければメインキー用鍵穴からメインキーを抜くことができない構造にすることにより、安全に保守点検等を実施することができる。
【００２２】
以上本発明について詳細に説明したが、本発明は、ここに記載された電子装置に限定されるものではなく、上記以外の電子装置に広く適用することができることは言うまでもない。
【符号の説明】
【００２３】
１，２：電子装置、３：鍵管理用収容器、１１：表示部、１２：操作部、１３：主電源スイッチ部、１４〜１７：装置扉、１３１：主電源スイッチ、１３２：メインキー、１４１，１５１，１６１，１７１：扉用鍵、１４２，１５２，１６２，１７２：扉用キー、１３３，１４３，１５３，１６３，１７３：鍵穴。
【図１】
2013129993.tif 000003
【図２】
2013129993.tif 000004